(57)【要約】【課題】スカートガードの表面と同じ高さで、且つ、その境界に隙間を発生させない照明カバーを安価に作製する。【解決手段】スカートガード照明装置１０Ａは、踏段の側面に立設されたスカートガード３の内側に配置された蛍光灯１１と、スカートガード３と内レッジ５との間に介在され、内面樹脂板１３とスカートガード３と同じ肉厚の外面樹脂板１４とが上下方向にずらして接着され、外面樹脂板１４の下端面１４ａをスカートガード３の上端面３ａに突き合わせ、且つ、外面樹脂板１４の下端より下方に突出した内面樹脂板１３の外面をスカートガード３の内面に密着させた状態でスカートガード３に固定された照明カバー１２とを備えた。【選択図】図２
2008024498.tif 000002
【特許請求の範囲】
【請求項１】
踏段の側面に立設されたスカートガードの内側に配置された光源と、
前記スカートガードと内レッジとの間に介在される内面保護板と外面保護板とを有する照明カバーとからなり、
前記内面保護板と前記外面保護板とが上下方向にずらして近接され、
前記外面保護板の下端面を前記スカートガードの上端面に突き合わせ、且つ、前記外面保護板の下端より下方に突出した前記内面保護板の外面を前記スカートガードの内面に密着させた状態で前記スカートガードに固定された照明カバーと、
を備えたことを特徴とする乗客コンベアのスカートガード照明装置。
【請求項２】
前記内レッジの下端には連結部材が固定され、前記連結部材の填め込み凹部の幅寸法は、前記スカートガードの板厚寸法と同じ寸法に設定されていることを特徴とする請求項１に記載された乗客コンベアのスカートガード照明装置。
【請求項３】
前記内面樹脂板と前記外面樹脂板は、光透過性材料で、且つ、互いに異なる光透過率の材料にて構成されていることを特徴とする請求項１又は請求項２に記載された乗客コンベアのスカートガード照明装置。
【請求項４】
前記内面樹脂板には、模様となる開口部が形成されていることを特徴とする請求項１乃至請求項３のいずれか一項に記載された乗客コンベアのスカートガード照明装置。
【請求項５】
前記内面樹脂板は、模様となる開口部が形成された不透光性材料にて構成され、前記外面樹脂板は、光透過性材料にて構成されたことを特徴とする請求項１又は請求項２に記載された乗客コンベアのスカートガード照明装置。
【発明の詳細な説明】
【技術分野】
【０００１】
本発明は、乗客の足元を照らす乗客コンベアのスカートガード照明装置に関する。
【背景技術】
【０００２】
乗客コンベアであるエスカレータには、乗客の安全性に配慮して乗客の足元を照らすスカートガード照明装置を設置したものがある。従来のスカートガード照明装置１００は、図７及び図８に示すように、踏段１０１の側面に立設されたスカートガード１０２の内側に配置された照明灯１１０と、スカートガード１０２と内レッジ１０３との間に介在された照明カバー１１１とを備えている。
【０００３】
照明カバー１１１は、単一のアクリル板より構成されている。照明カバー１１１の外面側の下端部には、スカートガード１０１の肉厚分だけ切り欠かれた切欠き部１１２が形成されている。照明カバー１１１は、切欠き部１１２の段差面１１２ａがスカートガード１０２の上端面１０２ａに突き合わされ、切欠き部１１２の外面がスカートガード１０２の内面に密着させた状態でスカートガード１０１に固定されている。
【０００４】
照明カバー１１１の内面側の上端部には、切欠き１１３が形成されている。この切欠き１１３によって薄肉とされた上端部が連結部材１０４が填め込まれている。照明カバー１１１の上端部は、連結部材１０４を介して内レッジ１０３に固定されている。
【０００５】
上記構成において、照明灯１１０により照射された光は、照明カバー１１１を透過して踏段１０１の上面付近を照らす。そして、スカートガード１０２と照明カバー１１０は同じ表面高さで、且つ、その境界に隙間がないため、乗客の衣服、靴等が引っ掛かったりする箇所がなく安全である。
【０００６】
尚、この従来例と略同様なスカートガード照明装置が特許文献１に開示されている。
【特許文献１】特開２００３−２０１８３号公報
【発明の開示】
【発明が解決しようとする課題】
【０００７】
しかしながら、前記従来例のスカートガード照明装置１００の照明カバー１１１は、単一の例えばアクリル板に切削加工を施して切欠き部１１２，１１３を形成する。従って、照明カバー１１１の製作に多大な加工時間と加工コストがかかるという問題があった。
【０００８】
そこで、本発明は、スカートガードの表面と同じ高さで、且つ、その境界に隙間を発生させない照明カバーを安価に作製できる乗客コンベアのスカートガード照明装置を提供することを目的とする。
【課題を解決するための手段】
【０００９】
本発明の特徴は、乗客コンベアのスカートガード照明装置であって、踏段の側面に立設されたスカートガードの内側に配置された光源と、前記スカートガードと内レッジとの間に介在される内面保護板と外面保護板とを有する照明カバーとからなり、前記内面保護板と前記外面保護板とが上下方向にずらして近接され、前記外面保護板の下端面を前記スカートガードの上端面に突き合わせ、且つ、前記外面保護板の下端より下方に突出した前記内面保護板の外面を前記スカートガードの内面に密着させた状態で前記スカートガードに固定された照明カバーと、を備えたことを要旨とする。
【発明の効果】
【００１０】
本発明によれば、内面保護板と所望肉厚の外面保護板とを上下方向にずらして接着するだけで、スカートガードの表面と同じ高さで、且つ、その境界に隙間を発生させない照明カバーを作製できるため、安全性に配慮した照明カバーを安価に作製できる。
【発明を実施するための最良の形態】
【００１１】
以下、本発明の実施の形態を図面を用いて説明する。
【００１２】
（第１の実施の形態）
図１及び図２は本発明の第１の実施の形態を示し、図１はエスカレータのスカートガード照明装置を設置付近の断面図、図２は図１の要部拡大図である。
【００１３】
図１に示すように、乗客コンベアであるエスカレータ１は、上階床と下階床の間の無限軌跡を連続的に移動する複数の踏段２と、この複数の踏段２の両側の側面で、且つ、踏段２にほとんど隙間のない位置より立設されたスカートガード３と、欄干パネル４より踏段側に下方に傾斜しつつ延設された内レッジ５とを備えている。そして、スカートガード３の一部を照明カバー１２とするカートガード照明装置１０Ａが設置されている。
【００１４】
スカートガード照明装置１０Ａは、図２に詳しく示すように、スカートガード３の内側に配置された光源である蛍光灯１１と、スカートガード３と内レッジ５との間に介在された照明カバー１２とを備えている。照明カバー１２は、その下端部がスカートガード３に直接固定され、上端部が連結部材６を介して内レッジ５に固定されている。
【００１５】
連結部材６は、図２に示すように、例えばアルミニューム成形によって形成され、上方に開口する内レッジ用の填め込み凹部６ａと、下方に開口する照明カバー用の填め込み凹部６ｂとを有している。内レッジ用の填め込み凹部６ａは、その幅寸法が内レッジ５の肉厚寸法に設定されており、内レッジ５の下端部は、填め込み凹部６ａに圧入されることによって固定されている。照明カバー用の填め込み凹部６ｂは、その幅寸法がスカートガード３の板厚寸法ｔ２（下記するように照明カバー１２の外側樹脂板１４の板厚寸法ｔ１と同じ）に設定されている。
【００１６】
照明カバー１２は、図２に詳しく示すように、内面保護板としての内面樹脂板１３と、外面保護板としての外面樹脂板１４の２枚の樹脂板からなり、内面樹脂板１３と外面樹脂板１４が上下方向にずらした位置で互いに接着されている。内面樹脂板１３及び外面樹脂板１４は、それぞれ光透過性材料であるアクリル板にて形成されている。外面樹脂板１４の板厚ｔ１は、スカートガード３の板厚分ｔ２と同じに設定されている。内面樹脂板１３の下端部には、図示しないボルト用切欠き溝が適所に形成されている。
【００１７】
照明カバー１２の表面側の下端部には、内面樹脂板１３と外面樹脂板１４が上下方向にずらした位置で接着されていることから、スカートガード３の板厚分ｔ２だけ窪んだ段差部１２ａが形成されている。照明カバー１２の下端部は、外面樹脂板１４の下端面１４ａがスカートガード３の上端面３ａに突き合され、且つ、外面樹脂板１４の下端より下方に突出した内面樹脂板１３の外面がスカートガード３の内面に密着させている。そして、内面樹脂板１３の図示しないボルト用切欠き溝にスカートガードに固定されたスタッドボルト７が挿入され、このスタッドボルト７にナット８が螺入されている。このようにして照明カバー１２の下端部は、スカートガード３に固定されている。
【００１８】
照明カバー１２の上端部は、内面樹脂板１３と外面樹脂板１４が上下方向にずらした位置で接着されていることから、外面樹脂板１４のみが突出している。この突出した外面樹脂板１４の上端部が連結部材６の照明カバー用の填め込み凹部６ｂに圧入されている。このようにして照明カバー１２の上端部は、連結部材６を介して内レッジ５に固定されている。
【００１９】
上記構成において、照明灯１１により照射された光は、照明カバー１２の内面樹脂板１３及び外面樹脂板１４を透過して踏段２の上面付近を照らす。スカートガード３と照明カバー１２は同じ表面高さで、且つ、その境界に隙間がないため、乗客の衣服、靴等が引っ掛かったりする箇所がなく安全である。
【００２０】
このように安全性に配慮した照明カバー１２は、内面樹脂板１３と所望肉厚の外面樹脂板１４とを上下方向にずらして接着するだけで作製できる。従って、安全性に配慮した照明カバー１２を安価に作製できる。
【００２１】
この第１の実施の形態では、内レッジ５の下端には連結部材６が固定され、連結部材６の填め込み凹部６ｂの幅寸法は、スカートガード３の板厚寸法ｔ２と同じ寸法に設定されている。従って、照明カバー１２の上端部を切削加工などを施すことなく連結部材６に固定できる。以上より、この第１の実施の形態では、照明カバー１２の上端部側にも切削加工を施すことなく照明カバー１２を作製できる。
【００２２】
又、スカートガード照明装置１０Ａが設置されないエスカレータでは、連結部材６の填め込みい凹部６ｂにはスカートガード３の上端部が填め込まれる。つまり、連結部材６の填め込み凹部６ｂの幅寸法は、スカートガード３の板厚寸法ｔ２と同じ寸法である部品が使用される。従って、この第１の実施の形態では、スカートガード照明装置１０Ａが設置されないエスカレータと連結部材６を共用できるという利点もある。
【００２３】
（第２の実施の形態の変形例）
図３は本発明の第２の実施の形態に係るエスカレータのスカートガード照明装置の断面図である。
【００２４】
図３において、この第２の実施の形態のスカートガード照明装置１０Ｂは、前記第１の実施の形態と同様に、内面樹脂板１３Ａと外面樹脂板１４は、共に光透過性材料である。しかし、第１の実施の形態と異なり、内面樹脂板１３Ａは、外面樹脂板１４に対して異なる光透過率の材料にて構成されている。つまり、内面樹脂板１３Ａが外面樹脂板１４に較べて光透過率の高い材料、又は、低い材料にて形成されている。
【００２５】
他の構成は、上記した第１の実施の形態と同様であるため、図面の同一箇所に同一符号を付してその説明を省略する。
【００２６】
この第２の実施の形態では、内面樹脂板１３Ａを光透過率の高い材料にて構成することによって、より明るく利用客の足元を照らすことができる。又、光量を抑えた落ち着いたイメージの館内にエスカレータが設置されている場合にあって、内面樹脂板１３Ａを光透過率の低い材料にて構成することによって、館内の落ち着いたイメージを損ねることなく利用客の足元を照らすことができる。尚、外面樹脂板１４を内面樹脂板１３Ａに較べて光透過率の高い材料、又は、低い材料にて構成しても良い。
【００２７】
（第３の実施の形態の変形例）
図４及び図５は本発明の第３の実施の形態を示し、図４はエスカレータのスカートガード照明装置の断面図、図５は図４のＡ矢視図である。
【００２８】
図４及び図５において、この第３の実施の形態のスカートガード照明装置１Ｃは、上記した第１の実施の形態と比較して、内面樹脂板１３Ｂに切欠きや孔等による模様の開口部１３ａが形成されている点が相違する。
【００２９】
他の構成は、前記第１の実施の形態と同様であるため、図面の同一箇所に同一符号を付してその説明を省略する。
【００３０】
この第３の実施の形態では、内面樹脂板１３Ｂの開口部１３ａと開口部１３ａでない箇所では光透過率が相違するため、開口部１３ａの模様が光強度の変化となり、模様付きの照明を照射することができる。
【００３１】
（第４の実施の形態の変形例）
図６は本発明の第４の実施の形態に係るエスカレータのスカートガード照明装置の断面図である。
【００３２】
図６において、この第４の実施の形態のスカートガード照明装置１Ｄは、上記した第３の実施の形態と同様に、内面樹脂板１３Ｃに切欠きや孔等による模様の開口部１３ｂが形成されている。しかし、第３の実施の形態と異なり、内面樹脂材１３Ｃの材質は光非透過性の材料にて形成されている。
【００３３】
他の構成は、前記第３の実施の形態と同様であるため、図面の同一箇所に同一符号を付してその説明を省略する。
【００３４】
この第４の実施の形態では、内面樹脂板１３Ｃの開口部１３ｂのみを光が透過するため、開口部１３ｂの模様と同じ形状の照明に照射できる。
【００３５】
尚、各実施の形態において、内面樹脂板１３，１３Ａ，１３Ｂ及び外面樹脂板１４は、光透過性材料の場合にはアクリル板を用いているが、光透過性の材料であればアクリル板以外にて形成しても良い。但し、照明カバー１２は利用客によって押されたり、けられたりしても変形しない強度が必要であるため、所定の強度を備えた材料でなければならない。
【００３６】
尚、各実施の形態では、乗客コンベアがエスカレータ１の場合を説明したが、エスカレータ以外の乗客コンベア（例えば動く歩道）にも同様に適用できることはもちろんである。又、乗客コンベアは、屋内と屋外のいずれに設定されたものであっても良い。更に、トラス構造体の外装部材や欄干は、透光性部材と不透光性部材のいずれの部材で形成されたものであっても良い。
【００３７】
照明用の光源としては、蛍光灯の他に、ＬＥＤ、冷陰極菅、ＥＬなどを用いることができる。
【００３８】
又、本発明に係る乗客コンベアのスカートガード照明装置は、フットランプとしても用いてもよい。
【図面の簡単な説明】
【００３９】
【図１】本発明の第１の実施の形態に係るエスカレータのスカートガード照明装置を設置付近の断面図である。
【図２】図１の要部拡大図である。
【図３】本発明の第２の実施の形態に係るエスカレータのスカートガード照明装置の断面図である。
【図４】本発明の第３の実施の形態に係るエスカレータのスカートガード照明装置の断面図である。
【図５】図４のＡ矢視図である。
【図６】本発明の第４の実施の形態に係るエスカレータのスカートガード照明装置の断面図である。
【図７】従来例のエスカレータのスカートガード照明装置の設置付近の断面図である。
【図８】従来例のスカートガード照明装置の拡大断面図である。
【符号の説明】
【００４０】
１  エスカレータ（乗客コンベア）
２  踏段
３  スカートガード
５  内レッジ
６  連結部材
１０Ａ〜１０Ｄ  スカートガード照明装置
１１  蛍光灯（光源）
１２  照明カバー
１３，１３Ａ，１３Ｂ，１３Ｃ  内面樹脂板
１３ａ，１３ｂ  開口部
１４  外面樹脂板
【図１】
2008024498.tif 000003
【図２】
2008024498.tif 000004
【図３】
2008024498.tif 000005
【図４】
2008024498.tif 000006
【図５】
2008024498.tif 000007
【図６】
2008024498.tif 000008
【図７】
2008024498.tif 000009
【図８】
2008024498.tif 000010